(57)【要約】雑誌やパンフレットが綴ることができるファイルであって、怪我などする心配がなく安心して使用できる安全なファイルを提供する。【解決手段】ファイルＦにおいて、雑誌やパンフレット等の冊子Ｍの対向する紙葉間にそれぞれ挟み込まれ、背表紙本体２１に固定した第１の取付部材４及び第２の取付部材５に対して、それぞれ独立して前記背表紙部２に対する装着位置（ｐ）と非装着位置（ｑ）との間で移動可能に、なお且つ前記装着位置（ｐ）において前記背表紙部２の左右方向への移動を規制した状態で取り付けるようにした保持部材３を、線状体３１と、この線状体３１の端部を覆うように取り付けられ弾性変形して前記背表紙部２側に設けた被係合部５１に対して係り合う係合部３２１を備えた係合部材３２とを備えて構成し、この係合部３２を前記背表紙部２の内側面２１ａに略直交する方向に移動して前記被係合部５１に対して係脱するように構成した。【選択図】図２
2004216688.tif 000002
【特許請求の範囲】
【請求項１】
少なくとも背表紙部を備えた表紙本体と、雑誌やパンフレット等等の冊子の対向する紙葉間にそれぞれ挟み込まれる棒状又は線状をなす複数の保持部材とを備えて、前記背表紙部の上下方向に沿って各保持部材に前記冊子を保持し得るものであって、
前記複数の保持部材を、前記背表紙部に対する装着位置と非装着位置との間でそれぞれ独立して移動可能な状態で、なお且つ前記装着位置において前記背表紙部の左右方向への移動を規制した状態で前記背表紙部に取り付けて、
前記保持部材の前記上下方向における少なくとも一方の端部に、前記背表紙部側に設けた被係合部に対して弾性変形して係り合う係合部を形成し、この係合部を前記背表紙部の内側面に略直交する方向に移動して前記被係合部に対して係脱するように構成していることを特徴とするファイル。
【請求項２】
前記背表紙部を、背表紙本体と、前記被係合部を備え前記背表紙本体に固定される当該背表紙本体とは別体の取付部材とを備えて構成し、前記保持部材を、この取付部材に対して取り付けるようにしている請求項１記載のファイル。
【請求項３】
前記係合部を前記保持部材の一方の端部にのみ形成するとともに、その保持部材の他方の端部を前記背表紙部の内側面に略直交する方向に回転可能な状態で取り付けている請求項１又は２記載のファイル。
【請求項４】
前記保持部材を、棒状体又は線状体と、この棒状体又は線状体とは別体であり当該棒状体又は線状体の少なくとも一方の端部を突出させない状態で取り付けて前記係合部としての機能を有する係合部材とによって構成している請求項１、２又は３記載のファイル。
【請求項５】
前記棒状体又は線状体を金属製のものとし、係合部材をその棒状体又は線状体の少なくとも一方の端部を覆うように取り付けるようにしている請求項４記載のファイル。
【請求項６】
前記係合部材を、樹脂によって形成している請求項４又は５記載のファイル。
【請求項７】
前記背表紙部に、前記複数の保持部材をそれぞれの装着位置からの移動を規制する隔壁部を形成している請求項１、２、３、４、５又は６記載のファイル。
【請求項８】
前記係合部の弾性変形を操作する操作部を、この係合部と一体に形成している請求項１、２、３、４、５、６又は７記載のファイル。
【発明の詳細な説明】
【０００１】
【発明の属する技術分野】
本発明は、雑誌やパンフレット等の冊子を綴じるのに好適なファイルに関するものである。
【０００２】
【従来の技術】
従来、雑誌等の複数の冊子に孔などを開けることなく綴じるためのファイルとしては、その背表紙部の上下方向に沿って延びる針金などの線状体又は棒状体を複数備えて、これら線状体又は棒状体を冊子類の対向する紙葉間に挟み込んでおき、その両端部を背表紙部に形成した取付部乃至受け部に差し込んで固定して綴じるようにしたものが知られている（例えば、特許文献１参照）。
【０００３】
【特許文献１】
特開平１１−７８３３３号公報
【０００４】
【発明が解決しようとする課題】
ところが、このような線状体又は棒状体は、取付部乃至受け部に差し込まれていない状態では、その端部が露出しているためその先端部が使用者等の身体に接触する可能性があった。
【０００５】
そこで、冊子を綴じることができるファイルであって、怪我などする心配がなく安心して使用できることを主たる課題とした安全で有用なファイルを提供する。
【０００６】
【課題を解決するための手段】
すなわち、本発明は、少なくとも背表紙部を備えた表紙本体と、雑誌やパンフレット等等の冊子の対向する紙葉間にそれぞれ挟み込まれる棒状又は線状をなす複数の保持部材とを備えて、前記背表紙部の上下方向に沿って各保持部材に前記冊子を保持し得るものであって、前記複数の保持部材を、前記背表紙部に対する装着位置と非装着位置との間でそれぞれ独立して移動可能な状態で、なお且つ前記装着位置において前記背表紙部の左右方向への移動を規制した状態で前記背表紙部に取り付けて、前記保持部材の前記上下方向における少なくとも一方の端部に、前記背表紙部側に設けた被係合部に対して弾性変形して係り合う係合部を形成し、この係合部を前記背表紙部の内側面に略直交する方向に移動して前記被係合部に対して係脱するように構成していることを特徴とするファイルである。なお、「棒状」とは、円柱状、角柱状、板状のもの等を含むものとする。また、「背表紙部の上下方向」とは、通常、書棚等に立て掛けて収納するような場合に鉛直方向に沿った方向すなわち一般的にファイルの上下方向或いは縦方向と認識されている方向を指している。そして、左右方向はこの上下方向に直交する方向を指している。また、「背表紙部側に設けた被係合部」とは、背表紙部側に設定されるものであれば、背表紙部と一体に形成したものであっても、背表紙部に固定されるような別部材に形成するものであってもよい。
【０００７】
このようなものであれば、その端部に形成した係合部によって、棒状又は線状をなす保持部材の先端部が保護された状態となるため例え使用者に接触した場合であっても安全である。しかも、背表紙部に保持部材を取り付けるための機能を有する係合部材に先端部の隠蔽機能を兼ねさせているため、部品点数を増加させずに安全を確保することができるようになる。
【０００８】
また、複数の保持部材それぞれを個別に装着位置と非装着位置との間で移動できるようにしているので、すべてを同時に移動しなければならないタイプのものと比較して使用勝手を良好なものとすることができる。
【０００９】
また、保持部材側を弾性変形させて係合させるようにしているため、背表紙側に形成する被係合部を備えた取付部材の成形を簡単にまた、部品点数の少ないものとすることが可能となる。
【００１０】
また、保持部材を左右方向への移動ができない状態で取り付けているので、当該保持部材に安定した状態で冊子を綴じることができるようになる。
【００１１】
また、背表紙部の内側面に対して直交する方向に回転するように取り付けているので、背表紙部の内側面を上方に向くように位置付けて手前から係脱の動作を行うことができてその操作が簡単である。
【００１２】
背表紙部としては、被係合部を一体に形成したようなものであってもよいが、背表紙部を、背表紙本体と、前記被係合部を備え前記背表紙本体に固定される当該背表紙本体とは別体の取付部材とを備えて構成し、前記保持部材を、この取付部材に対して取り付けるようにすれば望ましい。このようなものであれば、取付部材を形状、材質等が異なる他のファイルの背表紙本体に取り付けて保持部材を装着可能な背表紙部を構成することも可能となり、製作の利便性を図ることができるようになる。
【００１３】
また、背表紙部に対する保持部材の装着を簡単なものとするには、前記係合部を、前記保持部材の一方の端部にのみ形成するとともに、その保持部材の他方の端部を、前記背表紙部に当該背表紙部の内側面に略直交する方向に回転可能な状態で取り付けるようにすれば望ましい。
【００１４】
また、本発明の好ましい具体的態様としては、前記保持部材を、棒状体又は線状体と、この棒状体又は線状体とは別体であり当該棒状体又は線状体の少なくとも一方の端部を突出させない状態で、すなわち外方へ先端部が飛び出さない状態で取り付けて前記係合部としての機能を有する係合部材とによって構成しているものが挙げられる。なお、「棒状体」は、上述したように、円柱状であっても角柱状であっても、板状であってもよい。そして、このようなものにおいて、保持部材の強度を確保しつつ安全性も保持するためには、棒状体又は線状体を金属製ものとし、別体の係合部材を少なくとも一方の端部を覆うように取り付けるように構成すれば好ましい。このような弾性変形する係合部材としては、金属製の板ばねのようなものであてもよいが、特に樹脂によって形成するようにすればより安全で、また加工も簡単である。
【００１５】
また、保持部材を背表紙部に左右方向の移動を禁止した状態で取り付けることを実現する具体的態様としては、前記背表紙部に、前記複数の保持部材をそれぞれの装着位置からの移動を禁止する隔壁部を設けるようにすればよい。そして、請求項２記載の発明のように、背表紙部を、背表紙本体と取付部材とを備えて構成したような場合は、このような隔壁部を取付部材に形成すればよい。このようなものであれば、冊子を背表紙部の上下方向に沿って真っ直ぐに綴じることが可能となり、その結果収容効率を向上することも期待できる。
【００１６】
また、係合部の被係合部に対する係脱を簡単に行えるようにするためには、係合部に、その弾性変形を操作する操作部を一体に形成することが望ましい。特に一体に形成すれば、部品点数を増加することなくその操作力を係合部に確実に伝達することができるようになる。
【００１７】
【発明の実施の形態】
以下、本発明の一実施形態を、図面を参照して説明する。
【００１８】
このファイルＦは、図１及び２に示すように、背表紙部２を備えた表紙本体１と、雑誌やパンフレット等の冊子Ｍの対向する紙葉間にそれぞれ挟み込まれる線状をなす複数の保持部材３を備えて、前記背表紙部２の上下方向（長手方向）に沿って各保持部材３に前記冊子Ｍを保持し得るものである。なお、以下において、便宜上、図１で符号Ｕで示す側を上方、符号Ｄで示す側を下方として説明をしているが、発明を限定するものではない。
【００１９】
具体的には、表紙本体１は、背表紙部２と、この背表紙部２の両側端部に形成されたヒンジ部２２を介して設けられている開閉表紙部２３ａ、２３ｂとを備えてなる。
【００２０】
開閉表紙部２３ａ、２３ｂは、例えばシート材によって、所定規格の冊子Ｍ類を綴じるように対応させて縦長に成形した表裏一対のものである。
【００２１】
背表紙部２は、本実施形態においては、前記開閉表紙部２３ａ、２３ｂと一体に形成されている背表紙本体２１と、前記背表紙本体２１に固定される当該背表紙本体２１とは別体のものであり前記保持部材３を取り付けるための取付部材たる第１の取付部材４及び第２の取付部材５とを備えて構成したものである。
【００２２】
背表紙本体２１は、複数冊の冊子Ｍをその上下方向に沿う状態で収容できる幅寸法に設定してある。そして、この背表紙本体２１の内側面２１ａに、第１の取付部材４及び第２の取付部材５を例えばリベットＲ等によって固定している。本実施形態では、第１の取付部材４は、上下方向における一端部（図示例のものでは上端部）近傍に取り付けるとともに、第２の取付部材５は、他端部（図示例のものでは下端部）近傍に取り付けている。
【００２３】
第１の取付部材４は、背表紙本体２１の内側面２１ａに対して略垂直に起立し各保持部材３の一方の端部である上端部を回転可能に取り付けるための取付部４１と、この取付部４１の下端部に形成されこの取付部４１を背表紙本体２１の内側面２１ａに固定する取付片４２とからなる。取付部４１には、各保持部材３を回転可能に支持する軸４３を当該取付部４１の内部に左右方向に沿って挿通させる図示しない挿通賂を形成するとともに、図３に示しているように前記軸４３に支持させた保持部材３の回転動作を許容するように後述する線状体３１を突出させるように各保持部材３ごとに形成した切欠部４１２と、各保持部材３に対応する切欠部４１２、４１２間に形成して保持部材３の左右方向への移動を規制する隔壁部４１３とを形成している。前記切欠部４１２は、保持部材３が、図５に示している背表紙部２に対する装着位置（ｐ）とこの装着位置（ｐ）と略９０度をなす非装着位置（ｑ）の間での回転可能となる形状に形成してある。
【００２４】
第２の取付部材５は、背表紙本体２の内側面２１ａに対して略垂直に起立して各保持部材３と係り合う被係合部５１と、この被係合部５１の下端部に形成され当該背表紙部２の内側面２１ａに固定するための取付片５２とからなる。この被係合部５１には、本実施形態では、保持部材３の後述する係合部３２１の形状に対応させて開口端に向かって漸次開口幅が広がる形状をなす溝部５１１と、この溝部５１１の開口端近傍に形成した係合凸部５１２とを形成している。また、図４に示すように、溝部５１１内に当該溝部５１１を縦断して各保持部材の係合部３２同士を仕切る隔壁部５１３を形成して、各保持部材３の係合部３２１を、所定の箇所でその左右方向へ移動を規制した状態で被係合部５１と係り合うようにしている。なお、図４においては、隔壁部の様子を明確にするために、保持部材３を想像線で示している。
【００２５】
一方、複数の保持部材３は、金属製の線状体３１と、この線状体３１とは別体であり当該線状体３１の一方の端部である下端部を覆うように取り付けている樹脂製の係合部材３２とによって構成したものである。
【００２６】
線状体３１は、冊子Ｍを保持し得る強度及び太さに設定した針金材から形成したもので、他方の端部である上端部を、前記第１の取付部材４に挿通される軸４３に対して回転可能に取り付けたものである。具体的には、その上端部を前記軸４３の外周よりもその内周が大きくなるように湾曲させて略環状をなす軸挿入部３１１を形成し、この軸挿入部３１１を前記第１の取付部材４に形成した切欠部４１２に差し込み、その内周部分に前記左右方向に沿った軸４３を貫通させることによってこの軸４３に対して複数の保持部材３が、背表紙部２の内側面を形成する背表紙本体２１の内側面２１ａに直交する方向に、且つ個別に回転できるようにしてある。
【００２７】
また、係合部材３２は、本実施形態では、前記線状体３１の下端部側のみに取り付けたもので、前記被係合部５１に直接係り合う係合部３２１と、この係合部の弾性変形を操作する操作部３２２と、これら係合部３２１と操作部３２２とを線状体３１に取り付ける接続部３２３とを備えて形成したものである。
【００２８】
係合部３２１は、図５〜８に示すように、縦断面略く字型或いは略Ｕ字型をなすように成形して、その湾曲部３２１ａを中心にして、下端側に位置する突出端部３２１ｂ側が線状体３１と連結している基端部３２１ｃ側へ弾性変形によって接近できるようにした係合部３２１と、この係合部３２１の弾性変形を操作する操作部３２２とを一体に形成してなるものである。前記湾曲部３２１ａ近傍には、さらに肉薄部３２１１を形成して弾性変形し易くしている。また、操作部３２２との境界部分に前記係合凸部５１２に係り合う係合凹部３２１２を形成してある。また、操作部３２２は、前記被係合部５１１に係合部３２１を係り合わせた係合状態において、被係合部５１１を形成している第２の取付部材５よりも外方（図示例のものでは下端側）突出するように形成されている。接続部３２３は、前記線状体３１の下端部を覆うように配され、適宜の手段でその線状体３１と固定されている。
【００２９】
しかして、このように構成したファイルＦを使用する場合には、まず、開閉表紙部２３ａ、２３ｂを図１に実線で示している開成状態としておき、複数の保持部材３のうちいずれかを非装着位置（ｑ）に位置付けておいて、線状体３１を冊子Ｍの対向する紙葉間（ページ間）に挟み込ませる。そして、保持部材３の係合部材３２を持って、手前側から背表紙部２の内側面２１ａに直交する方向に回転移動させ、第２の取付部材５に形成した被係合部５１を構成する溝部５１１内に係合部３２１を湾曲部３２１ａ側から挿入していく。そして、係合凹部３２１２が係合凸部５１２と係り合う位置まで押し込んで係合状態として装着位置（ｐ）に到達させる。この状態で、冊子Ｍは、当該ファイルＦに綴られた状態となる。
【００３０】
冊子Ｍを綴っている状態から外す場合には、係合部材３２の操作部３２２を背表紙部２の上端部側へ押して係合凸部５１２と係合凹部３２１２との係り合いを解除するとともに、溝部５１１内に嵌まり込んでいる係合部３２１を当該溝部５１１内から出して、保持部材３を非装着位置（ｑ）へと回転移動させる。
【００３１】
以上のように構成した本実施形態のファイルＦは、冊子Ｍを綴るための保持部材３を構成する係合部材３２が、線状体３１の先端部を覆うように取り付けられ保護した状態となるため、例え使用者が接触したとしても安全である。しかも、本来背表紙部２に対して取り付けるための係合部材３２に、線状体３１の先端部の隠蔽機能を兼ねさせているため、部品点数を増加させずに安全を確保することができる。
【００３２】
また、複数の保持部材３それぞれを個別に装着位置（ｐ）と非装着位置（ｑ）との間で移動できるようにしているので、複数の保持部材３すべてを同時に移動しなければならないタイプのものと比較して使用勝手が良好である。
【００３３】
また、保持部材３を構成する係合部材３２を弾性変形させて係合させるようにしているため、背表紙部２側に設定される被係合部５１を備えた第２の取付部材５の成形を簡単にまた、部品点数の少ないものとすることができる。
【００３４】
また、保持部材３を左右方向への移動ができない状態で取り付けているので、当該保持部材３がぐらつかず安定した状態で冊子Ｍを綴じることができる。
【００３５】
また、係合部材３２を、背表紙部２に対して直交する方向に回転するように取り付けているので、背表紙本体２１の内側面２１ａを上方に向くように位置付けて手前側から係脱の動作を行うことができてその操作が簡単である。
【００３６】
背表紙部２を、背表紙本体２１と、この背表紙本体２１とは別体の第１の取付部材４及び第２の取付部材５とを備えて構成し、保持部材３を、これら第１の取付部材４及び第２の取付部材５に対して取り付けるようにしているので、本実施形態の背表紙本体２１のように紙製のもののみならず、樹脂製など材質等が異なる背表紙本体を備えた表紙本体に取り付けて、保持部材３を装着可能なファイルを構成することができ、製作の利便性を図ることができる。
【００３７】
係合部材３２を、保持部材３の一方の端部にのみに取り付けて、その保持部材３の他方の端部に位置する軸挿入部３１１によって、前記背表紙部２の内側面２１ａに対して略直交する方向に回転可能な状態で取り付けているので、図１に示しているように内側面２１ａを上方に位置付けて手前側から回転動作を利用して、簡単に背表紙部２側の被係合部５１に対して係り合わせて保持部材３を装着することができる。
【００３８】
線状体３１を、金属製のものとしているので剛性が得られ、重量のある冊子も綴じることが可能である。
【００３９】
係合部材３２を、樹脂製のものとしているので、使用者の身体に接触した場合にも安全であり、また、その加工も簡単である。
【００４０】
第１の取付部に隔壁部４１３を、第２の取付部に隔壁部５１３を形成して、保持部材３を左右方向にぐらつかないようにしているため、冊子Ｍを安定した状態で、背表紙部２の上下方向に沿って真っ直ぐに綴じることができる。この結果、収容効率も向上する効果も奏する。
【００４１】
係合部材３２に、操作部３２２を形成しているので、係脱が簡単に行える。特に係合部３２１と、操作部３２２を一体に形成しているので、部品点数を増加することなくその操作力を係合部３２１に確実に伝達することができる。また、操作部３２２を第２の取付部材５から背表紙部２の下端部へ突出するように形成しているので操作部に手指を接触し易く脱着する際の操作が簡単である。
【００４２】
本発明は、上記実施形態に限られない。
【００４３】
例えば、上記実施形態の第１の取付部材４の取付部４１及び、第２の取付部材５の被係合部５１が、背表紙部２と一体に形成されたようなものであってもよい。
【００４４】
また、取付部材を、上記実施形態のように２つに分割せず、前記取付部４１及び前記被係合部５１のような構成を有する１つのものとしてもよい。
【００４５】
保持部材としては、棒状体３１を樹脂製のものとしたものであってもよく、さらに係合部材３２と同一の樹脂素材によって一体成形したようなものであってもよい。
【００４６】
また、各保持部材を構成する線状体の基端部に左右方向に沿った軸を取り付け、或いは形成して、取付部材に軸受けを形成することで保持部材を回転できるようにしてもよい。
【００４７】
また、表紙本体が背表紙部のみから構成されるようなファイルであってもよい。
【００４８】
また、図９に示すように線状体３１の両端部においてその先端部を覆うように前記係合部材３２を取り付けて保持部材１０３を構成するとともに、この係合部材３２に対応する被係合部５１を備えた第２の取付部材５を、背表紙部２の上下端部近傍に対向するように２つ固定して、前記保持部材１０３を背表紙部２１の内側面２１ａに直交する方向にスライド移動して係合部材３２の係合部３２１を被係合部に係脱するように構成したファイルＦ１のようなものであってもよい。また、この場合においても、背表紙本体２１の上下に固定した第２の取付部材５、５を１つの取付部材として構成したものを採用したものであってもよい。
【００４９】
また、図１０に示すように、保持部材を、薄板状をなす棒状体２０３１と、この棒状体２０３１の一方の端部たる下端部に取り付けた係合部材３２とから構成した保持部材２０３としたファイルＦ２のようなものであってもよい。この棒状体２０３１の他方の端部たる上端部に貫通孔２０３１ａを設けて、この貫通孔２０３１ａに軸４３を差し込むことで取付部材４に対して取り付けるようにしている。このように構成すれば、軸４３に取り付けるために貫通孔２０３１を設けるだけでよく、加工工程が少なくて済む。
【００５０】
また、この図１０に示すような保持部材２０３において、図１１に示すように、係合部材３２の接続部３２３に棒状体２０３１の先端部形状に対応した切欠３２３ａを形成し、この切欠３２３ａに棒状体の２０３１を係り合わせその先端部が突出しない状態として、例えば図示しない凹凸係合や接着剤など適宜の固定手段によって固定したようなものであってもよい。このようなものであっても、棒状体２０３１の先端部が露出していないため、例え使用者の身体が接触しても安全である。
【００５１】
なお、図９〜１１において、上述した実施形態と同様の構成に関しては、特に説明することなく同じ符号を付している。
【００５２】
その他、各部の具体的構成についても上記実施形態に限られるものではなく、本発明の趣旨を逸脱しない範囲で種々変形が可能である。
【００５３】
【発明の効果】
本発明は、以上説明したような形態で実施され、以下に記載されるような効果を奏する。
【００５４】
すなわち、本発明のファイルによれば、保持部材の端部に形成した係合部によって、保持部材の先端部が保護された状態となるため安全である。しかも、背表紙部に保持部材を取り付けるための機能を有する係合部材に先端部の隠蔽機能を兼ねさせているため、部品点数を増加させずに安全を確保することができる。
【００５５】
また、複数の保持部材それぞれを個別に装着位置と非装着位置との間で移動できるようにしているので、すべてを同時に移動しなければならないタイプのものと比較して使用勝手が良好である。
【００５６】
また、保持部材側を弾性変形させて係合させるようにしているため、背表紙側に形成する被係合部を備えた取付部材の成形を簡単にまた、部品点数の少ないものとすることが可能である。
【００５７】
また、保持部材を左右方向への移動ができない状態で取り付けているので、当該保持部材に安定した状態で冊子を綴じることができる。
【００５８】
また、背表紙部に対して直交する方向に回転するように取り付けているので、背表紙部に対して手前から係脱の動作を行うことができてその操作が簡単である。
【００５９】
すなわち、複数の冊子を綴じることができるファイルであって、以上のような作用効果を同時に奏する極めて使用勝手の良好なファイルを提供することができる。
【図面の簡単な説明】
【図１】本発明の一実施形態を示す全体斜視図。
【図２】同実施形態の要部を示す拡大斜視図。
【図３】同実施形態の要部を示す拡大斜視図。
【図４】同実施形態の要部を示す図２におけるＸ−Ｘ線断面図。
【図５】同実施形態における保持部材の動作を示す一部破断した断面図。
【図６】同実施形態の係合部と被係合部との係合の状態を示す断面図。
【図７】同実施形態の係合部と被係合部との係合の状態を示す断面図。
【図８】同実施形態の係合部と被係合部との係合の状態を示す断面図。
【図９】本発明の別の実施形態を示す全体斜視図。
【図１０】同変形例を示す全体斜視図。
【図１１】本発明の別の実施形態を示す全体斜視図。
【符号の説明】
１・・・表紙本体
２・・・背表紙部
２１・・・背表紙本体
２１ａ・・・背表紙部の内側面（内側面）
２０３１・・・棒状体
３、１０３、２０３・・・保持部材
３１・・・線状体
３２・・・係合部材
３２１・・・係合部
３２２・・・操作部
４・・・第１の取付部材
４１３・・・隔壁部
５・・・第２の取付部材
５１・・・被係合部
５１３・・・隔壁部
Ｆ、Ｆ１、Ｆ２・・・ファイル
Ｍ・・・冊子
ｐ・・・装着位置
ｑ・・・非装着位置
【図１】
2004216688.tif 000003
【図２】
2004216688.tif 000004
【図３】
2004216688.tif 000005
【図４】
2004216688.tif 000006
【図５】
2004216688.tif 000007
【図６】
2004216688.tif 000008
【図７】
2004216688.tif 000009
【図８】
2004216688.tif 000010
【図９】
2004216688.tif 000011
【図１０】
2004216688.tif 000012
【図１１】
2004216688.tif 000013